(57)【要約】本発明は、非常に大きな窓の開口部、又は建物及び部屋の他の部分を覆うようにすることができるベネシャンブラインド用のスラット１に関する。スラット１は長手方向縁部分３を備えている。スラットは、スラット１の長手方向縁部に沿って平行する昇降コード−チルト・コード対によって操作され、それによって、スラット１を通る通路を省略できる。本発明はまた、ベネシャン・ブラインドの、スラット１をチルト・コードに連結するための取り外し可能な取付手段１２にも関する。本発明さらに、それ自体が上記スラット１及び取付手段１２を含み、それによって、現場で容易に完全なベネシャン・ブラインドを組み立てることが可能になるベネシャン・ブラインドに関する。本発明はまた、スラット１を傾け、上げ下げする制御を行うための昇降傾動機構にも関する。
2006522245.tif 000002
【特許請求の範囲】
【請求項１】
主要部分（２）によって連結された、前面及び背面の長手方向に延びる縁部分（３）を有し、前記縁部分（３）がそれぞれ、その間に間隔（３”）を形成する前記主要部分（２）に対して横方向に延びる第１の部分（３’）と対向する第２の部分（４）を含み、前記縁部分（３）がさらに間隙（６）を備え、前記間隔（３”）が前記間隙（６）を通って外側からアクセス可能であり、前記間隙（６）の幅が前記第１の部分（３’）と第２の部分（４）の間の最大距離より小さいベネシャン・ブラインド用のスラットであって、前記スラットを貫くことなく前記間隔（３”）に取付手段（１２、２１、２２）を挿入するために、前記間隙（６）が使用されることを特徴とする、ベネシャン・ブラインド用のスラット。
【請求項２】
両端の互いに向かい合う前記第２の部分（４）が、前記主要部分（２）の下側表面の方に延びる取付部分（５）を備え、前記間隙（６）が、前記取付部分（５）と前記下側表面の間に設けられていることを特徴とする、請求項１に記載のベネシャン・ブラインド用のスラット。
【請求項３】
前記間隙（６）が、前記間隙（６）を通る取付手段の挿入、取り外しを容易にするための弾性のある境界を有することを特徴とする、請求項１又は２に記載のベネシャン・ブラインド用のスラット。
【請求項４】
前記底部分（４）がほぼ平面状であることを特徴とする、請求項２に記載のスラット。
【請求項５】
前記主要部分（２）がアーチ状であることを特徴とする、請求項１に記載のスラット。
【請求項６】
前記主要部分（２）がほぼ平面状であることを特徴とする、請求項１に記載のスラット。
【請求項７】
前記主要部分（２）が曲線状又は波状であることを特徴とする、請求項１に記載のスラット。
【請求項８】
前記スラット（２）が、金属、複合材料又はグラスファイバを含むグループの材料で作られていることを特徴とする、請求項１に記載のスラット。
【請求項９】
前記スラット（２）がさらに、化粧板（ｖｅｎｅｅｒ）によって覆われていることを特徴とする、請求項８に記載のスラット。
【請求項１０】
前記縁部分（３）が、前記主要部分（２）の一体的部分として形成されていることを特徴とする、請求項１に記載のスラット。
【請求項１１】
前記縁部分（３）が、前記主要部分（２）に取り付けるための別個の部分として形成されていることを特徴とする、請求項１に記載のスラット。
【請求項１２】
前記スラットの少なくとも１つが、前記前記スラット（２）が縁部分（３）に形成された前記間隙（６）内に取り外し可能に挿入されるように形成された底部パネル（７）を備えることを特徴とする、請求項１から１１までのいずれか一項に記載のスラット。
【請求項１３】
前記底部パネル（７）が、前記底部パネルを貫く通路（８）のパターンを備えることを特徴とする、請求項１２に記載のスラット。
【請求項１４】
前記通路（８）がほぼ円形であることを特徴とする、請求項１３に記載のスラット。
【請求項１５】
前記通路（８）が細長いスリットであることを特徴とする、請求項１３に記載のスラット。
【請求項１６】
前記底部パネル（７）と前記スラットの前記主要部分（２）の前記下側表面との間に形成された空間（１０）が、音響減衰材料で部分的に、又は完全に充填されていることを特徴とする、請求項１１から１５までのいずれか一項に記載のスラット。
【請求項１７】
前記パネル（７）が、前記底部パネル（７）の少なくとも一部分を覆って延びる織布（９）を備えることを特徴とする、請求項１２から１６までのいずれか一項に記載のスラット。
【請求項１８】
前記底部パネル（７）が、ほぼ平面状であることを特徴とする、請求項１１から１７までのいずれか一項に記載のスラット。
【請求項１９】
前記底部パネル（７）が、アーチ状であることを特徴とする、請求項１１から１７までのいずれか一項に記載のスラット。
【請求項２０】
前記縁部分（３）が、前記スラットがほぼ垂直位置の一方にあるときに、前記隣接したスラット同士の間の領域を光が貫くのを防ぐための密閉手段を備えることを特徴とする、請求項１に記載のスラット。
【請求項２１】
前記取付手段（１２、２１、２２）が、前記間隔（３”）の前記境界（３’、４、５）と係合するために、前記間隙（６）を通って前記間隔（３”）内に挿入されるように形成されていることを特徴とする、請求項１から２０までのいずれか一項に記載の、スラットを取外し可能に取り付けるための取付手段。
【請求項２２】
中央の輪部分（１６）とほぼ同一平面内にある第１の脚部分（１５）に連結され、且つ前記中央の輪部分（１６）及び前記第１の脚部分（１５）の平面に対して角度（Ａ）をなす平面内にある第２及び第３の脚部分（１４、１３）に連結された前記中央の輪部分（１６）を備えることを特徴とする、請求項２１に記載の取付手段。
【請求項２３】
円筒状のロッド（２３）として形成されていることを特徴とする、請求項２１に記載の取付手段。
【請求項２４】
球体（２６）として形成されていることを特徴とする、請求項２１に記載の取付手段。
【請求項２５】
前記間隙（６）を通り挿入されることを容易にするために、弾性があることを特徴とする、請求項２１から２４までのいずれか一項に記載の取付手段。
【請求項２６】
硬質であることを特徴とする、請求項２１から２４までのいずれか一項に記載の取付手段。
【請求項２７】
請求項１から２０までのいずれか一項に記載の複数の平行な細長いスラットを含み、さらに、請求項２１又は２２に記載の取付手段（１２）によって、前記スラットの前記前面及び背面の縁部分（３）に取り外し可能に取り付けられるための少なくとも２対のチルト・コード（１９）と、前記チルト・コード（１９）とほぼ平行し、前記スラットの最下段に取り付けられた少なくとも２対の昇降コード（２０）を含む、大きな窓パネルを覆うためのベネシャン・ブラインド。
【請求項２８】
共通の駆動手段（３４）によって回転するように駆動される共通の駆動シャフト（３３）上に設けられた別個の昇降及び傾動機構（３０）によって、前記チルト・コードの対（１９）及び前記昇降コードの対（２０）がそれぞれ操作されることを特徴とする、請求項２７に記載のベネシャン・ブラインド。
【請求項２９】
別個の駆動手段（３４）によって回転するように駆動される前記昇降及び傾動機構（３０）ごとに別個の駆動シャフト（３３）上に設けられた別個の昇降及び傾動機構（３０）によって、前記チルト・コードの対（１９）及び前記昇降コードの対（２０）がそれぞれ操作されることを特徴とする、請求項２７に記載のベネシャン・ブラインド。
【請求項３０】
前記昇降及び傾動機構（３０）のそれぞれが、前記駆動シャフト（３３）と共に回転し、このシャフトを介して軸方向に移動するように取り付けられた管状部材（３６）と、前記昇降コード（２０）をその適切な軸方向の位置に維持し、前記管状部材（３６）の外側周面に導く案内手段（４６）を含み、それによって、前記管状部材（３６）が回転すると前記昇降コード（２０）が前記管状部材（３６）の周面にらせん状に巻き上げ繰り出され、その結果、前記管状部材（３６）が回転するにつれて前記スラット（２）が上げ下げされることを特徴とする、請求項２８又は２９に記載のベネシャン・ブラインド。
【請求項３１】
前記管状部材（３６）が、前記管状部材（３６）の外側周面上に、前記所与の昇降コード対の昇降コード（２０）をそれぞれそこに収容するための単一スレッド（３９）を備えることを特徴とする、請求項３０に記載のベネシャン・ブラインド。
【請求項３２】
前記管状部材（３６）が、前記管状部材（３６）の外側周面上に、前記所与の昇降コード対の昇降コード（２０）をそれぞれ前記管状部材（３６）の別個のスレッドに収容するための二連スレッドを備えることを特徴とする、請求項３０に記載のベネシャン・ブラインド。
【請求項３３】
前記管状部材（３６）の外側周面上に設けられた前記単一／二連スレッドが、前記管状部材（３６）を支持する固定ベアリング（４０）にある対応するスレッド（４４）と係合していることを特徴とする、請求項３１又は３２に記載のベネシャン・ブラインド。
【請求項３４】
前記スレッドが台形状であることを特徴とする、請求項３１から３３までのいずれか一項に記載のベネシャン・ブラインド。
【請求項３５】
間隙（４５）が、前記昇降コード（２０）を前記間隙（４５）内に収容するように、前記管状部材（３６）上の前記スレッドと前記固定ベアリング（４０）上のスレッドの間に形成されていることを特徴とする、請求項３４に記載のベネシャン・ブラインド。
【請求項３６】
前記昇降及び傾動機構（３０）が、所与の昇降コード−チルト・コード対の前記チルト・コード（１９）を連結する傾動手段を含み、前記傾動手段が、前記駆動シャフト（３３）の周りにそれと共に回転するように同軸に設けられた円筒状のチルト・ケース（４１）を含み、前記チルト・ケース（４１）の外側周面の周りに設けられた傾動部材（４２）が、前記傾動部材（４２）上に設けられた第１の手段（４８、４９）によって決定された所定の角度範囲にわたって、前記回転が対応する固定当接手段（５０、５１）と接触している間に、前記傾動部材（４２）と前記チルト・ケース（４１）の間の摩擦により前記チルト・ケース（４１）の回転に追従し、それで、前記チルト・コード（１９）が、前記傾動部材（４２）の周りに巻き付けられ、その結果前記傾動部材（４２）の一方向の回転が前記所与のチルト・コード対の一方のチルト・コードを前記傾動部材（４２）から繰り出させ、前記所与のチルト・コード対のもう一方のチルト・コードを前記傾動部材（４２）上に巻き上げさせることを特徴とする、請求項２８から３５までのいずれか一項に記載のベネシャン・ブラインド。
【請求項３７】
前記傾動部材（４２）が径方向に弾性をもつことを特徴とする、請求項３６に記載のベネシャン・ブラインド。
【請求項３８】
前記傾動部材（４２）が、軸方向に延びる間隙（４７）を備えることを特徴とする、請求項３７に記載のベネシャン・ブラインド。
【請求項３９】
前記傾動部材（４２）が、主要部分（５４）と、前記チルト・コード（１９）を収容するための中間溝（５２）を画成する鍔部（５３）とを含む管状部材であることを特徴とする、請求項３６から３８までのいずれか一項に記載のベネシャン・ブラインド。
【請求項４０】
前記チルト・コード（１９１、１９２）のそれぞれの両端が、前記傾動部材（４２）上に互いにほぼ正反対にある点（５６、５７）のところで前記傾動部材（４１）に取り付けられ、前記チルト・コードが、前記傾動部材（４２）上に反対方向に巻き付けられることを特徴とする、請求項３７から３９までのいずれか一項に記載のベネシャン・ブラインド。
【請求項４１】
前記駆動手段（３４）が、前記駆動シャフト（３３）内部に固定的に収容された１つ又は複数のモータであることを特徴とする、請求項２８又は２９に記載のベネシャン・ブラインド。
【請求項４２】
前記昇降コード（２０）のそれぞれが、前記対応するチルト・コード（１９）に取り付けられた輪（１８）を通り抜け、それによって前記昇降コード（２０）が前記対応するチルト・コード（１９）とほぼ平行になることを特徴とする、請求項２７に記載のベネシャン・ブラインド。
【請求項４３】
２対の昇降コード−チルト・コード対（１９、２０）を含み、前記対（１９、２０）のそれぞれを前記スラット（２）に取り付ける点が、それぞれ前記スラット（２）の長手方向の両端から前記スラット（２）の全長のほぼ１／５に相当する距離にあることを特徴とする、請求項２７に記載のベネシャン・ブラインド。
【請求項４４】
前記昇降及び傾動機構が、１対又は複数対の昇降コード−チルト・コード対の前記チルト・コード（１９）を連結する傾動手段を含み、前記傾動手段が、前記駆動シャフト（３３）の周りにそれと共に回転するように同軸に設けられた傾動ドラム（６０）を含み、前記傾動ドラム（６０）の外側周面の周りに設けられた傾動部材（６１）が、前記傾動部材（６１）上に設けられた第１の当接手段（６３）によって決定された所定の角度範囲にわたって、前記回転が回転可能な当接リング（６４）上に設けられた当接舌片（６５）と接触している間に、前記傾動部材（６１）と前記傾動ドラム（６０）の間の摩擦により前記傾動ドラム（６０）の回転に追従し、したがって回転可能な当接リング（６４）の一部分が、固定当接手段（６８）と係合することによってさらに回転することが妨げられるまで、前記傾動ドラム（６０）がさらに回転し、その結果前記回転可能な当接リング（６４）が、前記傾動ドラム（６０）の周りに回転し、それで、前記チルト・コード（１９）が、前記傾動部材（６１）の周りに巻き付けられ、その結果前記傾動部材（６１）の一方向の回転が前記所与のチルト・コード対の一方のチルト・コードが前記傾動部材（６１）から繰り出され、前記所与のチルト・コード対のもう一方のチルト・コードが前記傾動部材（６１）上に巻き上げられることを特徴とする、請求項２８から３５までのいずれか一項に記載のベネシャン・ブラインド。
【請求項４５】
前記傾動部材（６１）が径方向に弾性をもつことを特徴とする、請求項４４に記載のベネシャン・ブラインド。
【請求項４６】
前記傾動部材（６１）が、軸方向に延びるスリット（６２）を備えることを特徴とする、請求項４４に記載のベネシャン・ブラインド。
【請求項４７】
前記チルト・コード（１９１、１９２）のそれぞれの両端が、前記傾動部材（６１）上に互いにほぼ正反対にある点のところで、前記傾動部材（６１）に取り付けられ、前記チルト・コードが、前記傾動部材（６１）上に反対方向に巻き付けられることを特徴とする、請求項４４から４６までのいずれか一項に記載のベネシャン・ブラインド。
【請求項４８】
前記回転可能な当接リング（６４）の前記一部分の円周の延長を利用して、前記傾動ドラム（６０）の周りの前記傾動部材（６１）の回転範囲を設定するように、前記一部分が円周方向に隔置された端面（６７）を備えることを特徴とする、請求項４４に記載のベネシャン・ブラインド。
【請求項４９】
支持コード（７１）が、前記スラットと係合するように前記スラット（２）の長手方向の両端部に設けられ、それによって前記ベネシャン・ブラインドの安定性を増すことを特徴とする、請求項２７に記載のベネシャン・ブラインド。
【請求項５０】
前記支持コードが、前記スラット（２）の長手方向の両端のところに設けられた支持部材（７２）に設けられた通路（７３）を通過させられることを特徴とする、請求項４９に記載のベネシャン・ブラインド。
【請求項５１】
前記スラット（２）が、前記支持部材（７２）を前記スラット（２）に取り付けるためのエンド・カップ（７４）を備えることを特徴とする、請求項４９又は５０に記載のベネシャン・ブラインド。
【請求項５２】
昇降コード（２０’）が、前記支持コード（７１）に平行し、前記スラット（２）の長手方向の両端のところに設けられた支持部材（７２）にある通路（７５）を通過させられることを特徴とする、請求項５０又は５１に記載のベネシャン・ブラインド。
【請求項５３】
前記スラットが、長手方向の両端のところに、支持部材（７２）を通過させられた支持コード（７１）を案内するための前記支持部材（７２）を備えることを特徴とする、請求項１に記載のベネシャン・ブラインド用のスラット。
【発明の詳細な説明】
【技術分野】
【０００１】
本発明は、ベネシャン・ブラインドに関し、より詳細には、スラット及びそれに対応するスラットの固定手段に関し、スラットを昇降させ傾動させる制御手段に関する。
【背景技術】
【０００２】
多くの現代的な建物には、大きな窓パネルを使用する傾向がある。この建築上の要望から、建物正面（ｆａｃａｄｅ）に日光を遮るスクリーンが必要となる。最も一般的な従来の薄板式ブラインドは、必要な日よけを提供するために使用される。しかし、そのようなブラインドのスラットのサイズ及び支持コードの最大支間長は限られている。ブラインド及びスラットを単純に拡大すると、様々な種類の安定性の問題が生じることになる。一般に、現在入手可能なベネシャン・ブラインドでは、スラットは幅が約１０ｃｍ、支持コードの支間長が約１ｍの寸法を有する。制限された支持コードの支間長とその結果として生じる多数の支持コードは、数多くの幅の狭いスラットとあいまって、大きなガラス・パネルによってもたらされる元の美的効果を損なう恐れがある。他の解決策は、ガラス・パネルのサイズを入手可能なブラインドの寸法に制限することであり、したがって建築上の自由が制限されてきた。
【０００３】
さらに、窓パネルが大きく切れ目がないと、こういったパネルによって仕切られた部屋内ではパネルから望ましくない音の反射があるので、音響上の問題が生じる恐れがある。したがって、延長した長さのスラット及びそれに対応する支持コードの延長した支間長を有し、例えばオプションとして、ベネシャン・ブラインドで覆われたパネルからの反射に所望の音響減衰をもたらすこともできる、ベネシャン・ブラインドを利用できることが望ましいはずである。
【０００４】
さらに、例えば交換など、スラットを取り外すのは、多くの従来技術のベネシャン・ブラインドでは扱いにくいプロセスであり得る。というのは例えば、従来のラダー・コードの配置によれば、昇降コードが個々のスラットにある通路を通過させられ、そのスラットがチルト・コードによって支持されているからである。そのような配置のため、個々のスラットを取り外し交換するのが困難になり、ベネシャン・ブラインドの主要部分を分解することなしにはそれがしばしば不可能になる。したがって、上記の種類の形の、個々のスラットの取り外しを容易にするようにチルト・コードに取り付けられたベネシャン・ブラインドを提供することが望ましいはずである。さらに、昇降コードの通路のためにしばしばなされるように中央に位置する細長いスリットの形で、或いは個々のスラットをそれぞれ通るチルト・コード用の取付手段の通路のためにスラットの縁部分に沿って、スラットに通路を設けるのは、製造の点からもスラット清掃の点からも最善ではない。さらに、これによって光が上記の通路を通ってスラットを貫くのを防ぐことが困難になる。例えば、スラットが、そのほぼ垂直位置の一方から水平位置を通ってもう一方のほぼ垂直位置まで傾動範囲の大部分にわたって傾動操作を受けることができる必要がある場合、中央に位置する昇降コード用通路は必ず相対的に大きく横方向に延びたものでなければならない。
【０００５】
チルト・コードが個々のスラットの長手方向縁部分に取り付けられている、ベネシャン・ブラインド用スラットが、例えば英国特許第１５１２２７４号及びドイツ特許出願公開第３８１９９２０号に記載されている。
【０００６】
したがって、英国特許第１５１２２７４号には、ステープルがその中に打ち込まれ固定された、長手方向に延びる丸いフランジを備える、ベネシャン・ブラインド用のスラットが開示されている。スラットの各長手方向の縁部分の外側にある上記のステープルに、支持紐が取り付けられている。この文書にはさらに、ステープルをフランジに打ち込みやすくするために使用する特殊工具が開示されている。
【０００７】
ドイツ特許出願公開第３８１９９２０号には、長手方向の縁部分が上記のものと幾分似ている丸いフランジとして形成されている、ベネシャン・ブラインド用のスラットが開示されている。スラットの長手方向に沿った適切な位置に、これらのフランジはスロットを備え、このスロットはフランジ及び一定の間隔を貫いてスラットの主要部分に刻まれている。支持コードに取り付けられた、対応する球形部材と旋回式に係合するように形成されたクリップが、上記のスロット内に挿入される。
【発明の開示】
【発明が解決しようとする課題】
【０００８】
このような背景に対して、本発明の目的は、冒頭に述べた上記の問題を克服する類のベネシャン・ブラインドを提供することである。
【０００９】
したがって、本発明の目的は、長手方向にかなり延長した、スラットを吊るすための支持コード又はチルト・コードの支間長が広いスラットを含み、個々のスラットがさらに、ベネシャン・ブラインドの他のスラットを取り外す必要なく、且つ道具を用いることなく容易に取り外し交換できる、大きな窓パネルを覆うために使用できるベネシャン・ブラインドを提供することである。
【００１０】
この目的は、独立請求項１に従って、これまで可能ではなかった寸法を有するスラットを使用することが可能になるベネシャン・ブラインドを提供することによって実現される。ベネシャン・ブラインドのスラットの利用可能な寸法を増すには、スラットの全体的な剛性が十分に高くなければならない。これは、本発明によれば、長手方向の両側部上に細長い主要部分を含み、上記両側部が、その間に間隔を形成する第１の部分とそれに対向する第２の部分を含む縁部分を備え、上記縁部分がさらに間隙を備え、上記間隔がこの間隙を通って外側からアクセス可能なスラットを提供することによって達成される。上記縁部分は、一方ではスラットの全体的な剛性を増し、他方では、以下に詳細に説明するように、スラットを支持コード又はチルト・コードに連結するためのスラット上の取付手段として働く。上記間隔の大きさは上記間隙の大きさより大きく、それによって、支持コードに連結され上記間隙を通って挿入された取付手段が、以下に詳細に説明するように、スラットの縁部分にある間隔内部に取り外し可能な形で保持される。
【課題を解決するための手段】
【００１１】
本発明の一実施例によれば、スラットの剛性はさらに、上記主要部分にアーチ状の断面形状を与えることによって増すが、平面状のスラットを含む他の断面形状も本発明の範囲内に含まれる。
【００１２】
スラットの全体的な剛性をさらに増すには、主要部分２が波形であってもよく、さらには下向きに延びるリブを主要部分の底面に備えてもよい。
【００１３】
本発明によれば、スラットを支持コードに取り外し可能に取り付ける取付手段は、上記間隙を通って縁部分内に挿入され、支持コードにも取り付けられる。この取り外し可能な取付手段は、ほぼ硬質な境界で囲まれた間隙を通り抜けるために弾性があってもよいが、本発明に従って、ほぼ硬質な取付手段が間隙を通り抜けるためにこの間隙を弾性のある境界で囲むことも可能である。したがって、本発明による取付手段は、上記間隔の境界の少なくとも一部と係合させるため、上記間隙を通って上記間隔内に挿入されるように形成される。本発明によるスラットと共に使用する取付手段のいくつかの実施例を、本明細書の実施例において示し説明するが、本発明の範囲から逸脱することなくこれらの実施例の改変例及び変形例も可能である。
【００１４】
本発明のベネシャン・ブラインドは、幅が２００ｍｍを超え、支持コードの支間長が２．５ｍ以上、長さが少なくとも４ｍ、ブラインドの高さが６ｍ以上のスラットを提供する。非常に長いスラットすなわち規定の４ｍを大きく上回る長さのスラットに関しては、必要に応じて２対より多くの支持コードを用いても、本発明の範囲内にあることが理解されよう。
【００１５】
本発明によるスラットは、いくつかの異なる材料で形成することができる。一般に、アルミニウム又はスチールなどの適当な金属でスラットを形成するが、他の金属を使用することもできる。また複合材料を使用してもよく、或いはグラスファイバなどでスラットを成型してもよい。材料の選択を決定する第一条件は、必要なスラットの剛性であるが、ある程度低い剛性の材料を選択した場合でもスラットを適切に形成することにより、低減した剛性をある程度まで補うことができる。
【００１６】
本発明の他の目的は、使用される部屋の音響特性に影響を及ぼすために利用できるベネシャン・ブラインドを提供することである。この目的は、本発明に従って、スラットの少なくとも一定の部分に音響減衰の配置を設けることによって達成される。したがって本発明の実施例によれば、上記スラットの両縁部分の間に、長手方向に延びる、必須ではないが好ましくはスラットの長手方向の寸法全体に沿って延びる底部パネルを配置することが可能である。このパネルは、ほぼ平面状であることが好ましいが、他の形状が使用されてもよく、それが場合によっては望ましいと判明することさえある。このパネルは、少なくとも２つの機能を果たすことができる。スラットの底側から見たときに、スラットにより魅力的な外観を与えることができ、且つ／又はスラットの音響減衰特性を改善するための音響構造として利用できる。このために、このパネルは、パネルとスラットの主要部分の間の領域へのアクセスを可能にする貫通孔又はスリットを備えてもよく、この領域は、それ自体周知の方法で適切な音響減衰材料を備えることができる。好ましいパネルの代わりに、適当な織布など、他の音響減衰構造が使用されてもよい。
【００１７】
美的に満足のいく効果を得るには、スラットが静止している状態でも、スラットを上げる、下げる、傾ける操作の間でも、すべてのスラットが必ず適切に整列するように、スラットが吊るされ操作されることが重要である。というのは、適切な整列からの些細な逸脱でさえもベネシャン・ブラインドの全体的な外観をかなり減じる恐れがあるからである。上記のように、個々のスラットを容易に、好ましくは工具を用いることなしに取り外し、交換できることがさらに望ましい。これらの要求は、本発明によれば、少なくとも２対のチルト・コードを含み、このチルト・コードのそれぞれが、スラットの上記縁部分内に挿入するための取り外し可能な好ましくは弾性のあるクリップによって、個々のスラットに取り付けられる、昇降傾動組合せシステムを使用することによって満たされる。少なくとも２対の上記チルト・コードに平行し、好ましくはそのすぐ近くで動く昇降コードが提供され、この昇降コードは下端のベネシャン・ブラインドの最下段スラットと、上端の昇降傾動組合せ機構とに取り付けられている。この機構にはチルト・コードも連結されている。チルト・コードと平行して昇降コードを延ばすことは、例えば各スラットの高さのチルト・コード上に形成された輪に昇降コードを通すことによって可能となるが、昇降コード−チルト・コードの平行配置を維持する他の手段も本発明の範囲を逸脱することなく当業者によって考案されてもよい。
【００１８】
本発明の一実施例によれば、本明細書の実施例において詳細に説明するが、上記で概略を説明したように、対応する２対の昇降コードと平行し、そのすぐ近くで動く２対のチルト・コードが用いられる。この実施例によれば、昇降コード−チルト・コードをスラットに取り付ける点が、スラットの両端からスラットの全長の１／５にほぼ等しい距離のところに、したがってスラットの全長のほぼ３／５の２対の昇降コード−チルト・コード対の支間長を残して配置されている。しかし、例えば非常に長いスラットなどには、２つよりさらに多い昇降コード−チルト・コードのシステムを含む他の配置が使用されてもよい。
【００１９】
本発明によるベネシャン・ブラインドの代替実施例によれば、ベネシャン・ブラインドの全体的な安定性を、長手方向にも、横方向すなわちベネシャン・ブラインドの平面に対してほぼ垂直な方向にも増すために、垂直に延びる支持コード又はそれと等価な手段が、スラットの長手方向の両端に提供される。このために、スラットは、その長手方向の両端にスラットに取り付けられた支持部材を備え、支持コードの通路用にこの部材を通る適当な通路を備える。
【００２０】
本発明によるベネシャン・ブラインドの他の代替実施例によれば、昇降コードが、チルト・コードと平行する代わりに、例えば支持部材にある支持コードと同じ又は追加の通路などを通って、支持コードに沿って案内される。この場合も、昇降コードは、ベネシャン・ブラインドの最下段スラットに取り付けられている。
【００２１】
本発明の他の目的は、ベネシャン・ブラインドの昇降コード−チルト・コード対のすべての対を操作する、好ましくは単一の駆動手段、例えば電気式モータによって駆動できる、簡易で、なお信頼性のある昇降及び傾動機構を提供することである。ただし、昇降コード−チルト・コード対ごとに別個の駆動手段も、本発明から逸脱することなく使用できることが理解されよう。
【００２２】
本発明によれば、昇降傾動組合せ機構は、電気式モータなどの適切な駆動手段によって回転式に駆動される、長手方向に延びるシャフト上に配置されている。この駆動手段は、シャフトの外側に配置されても、或いはシャフトの中空部分内に組み込まれてもよい。
【００２３】
本発明による昇降及び傾動機構は、上記駆動シャフトと共に回転し、そのシャフトを覆って軸方向に移動するように取り付けられた管状部材と、昇降コードをその適切な軸方向の位置に維持し、上記管状部材の外側周面に導く案内手段とを含み、それによって、上記昇降コードは、上記管状部材の回転時に管状部材の周面にらせん状に巻き上げ又は繰り出され、その結果管状部材が回転するにつれてスラットが上げられ又は下げられる。
【００２４】
本発明の一実施例によれば、上記管状部材はその外側周面上に、所与の上記昇降コード対の昇降コードをそれぞれ同じスレッド内に収容するための単一のスレッドを備えている。
【００２５】
本発明の他の実施例によれば、上記管状部材はその外側周面上に、所与の上記昇降コード対の昇降コードをそれぞれ別個のスレッド内に収容するための二連のスレッドを備えている。
【００２６】
本発明による昇降及び傾動機構の上記実施例のいずれにおいても、管状部材の回転が、下向きにスラットに向かって下方に延びる昇降コードがそれ自体で軸方向の動きを制限されることとあいまって、管状部材を軸方向に移動させ、それによって、管状部材が駆動シャフトと共に回転するにつれて、昇降コードは管状部材に、軸方向に延びる一重コードの層に巻き上げられ、又はそこから繰り出される。しかし、本発明による昇降及び傾動機構の第３の代替実施例によれば、管状部材の外側周面上に設けられた上記単一／二連スレッドが、管状部材を支持している固定ベアリングの対応するスレッドと係合し、この配置によって管状部材の軸方向移動が引き起こされ、昇降コードが管状部材に適切に巻き上がり、又は繰り出されやすくなる。この本発明の第３の実施例では、昇降コードを収容するのに十分な大きさの間隙が、上記管状部材上と固定ベアリング上のスレッドの間に形成されている。
【００２７】
本発明によれば、昇降及び傾動機構はさらに、所与の昇降コード−チルト・コード対をチルト・コードに連結する傾動手段を含み、第１の実施例による上記傾動手段は、円筒状のチルト・ケースと共に回転するように上記駆動シャフトの周りに同軸に設けられ、且つその駆動シャフトに連結されたチルト・ケースを含み、上記チルト・ケースの外側周面の周りには、傾動部材とそのチルト・ケースの間の摩擦により、所定の角度範囲にわたって上記チルト・ケースの回転に追従する傾動部材が設けられている。この範囲は、上記回転が対応する固定当接手段と接触している間に、傾動部材上に設けられた第１の手段によって決定される。一方向の傾動部材の回転によって、チルト・コードが傾動部材に巻き付けられ、その結果所与のチルト・コード対のうち、一方のチルト・コードは傾動部材から繰り出され、もう一方のチルト・コードは傾動部材上に巻き上げられる。チルト・ケース及び傾動部材の直径をスラットの幅に対して適切に寸法決めすることによって、スラットは約１８０°の角度範囲にわたって傾動動作を行うことができ、すなわち、スラットは、その隣接した縁部がベネシャン・ブラインドの１つの閉じた表面を形成するように互いに接触しているほぼ垂直な位置から、水平位置を通って、対向するほぼ垂直な位置の間を傾動することができる。望ましいなら、チルト・ケース及び傾動部材の直径とスラットの幅の比を変更するのを利用して、傾動角度範囲を制限することができる。
【００２８】
本発明よれば、チルト・ケースを囲む傾動部材は径方向に硬質でもよいが、径方向にある程度の弾性を本発明による傾動部材にもたらすことも可能である。したがって、例えば管状の傾動部材が、この傾動部材を通って径方向に延びる間隙を備えることができる。傾動部材の径方向の弾性によって、上記のようにチルト・ケースに対して傾動部材を回転させると、上記当接手段と係合することによって駆動シャフトの連続的な回転が停止し、傾動部材の一端が回転を妨げられ、且つ傾動部材の接触面とチルト・ケースの間に摩擦力がかけられていることから、チルト・ケース（スラットの下げ上げ用）は傾動部材の内径を増す傾向にあるという有利な効果がもたらされる。それによって、チルト・ケースと傾動部材の間の摩擦力が減じられ、これは、駆動シャフト及びチルト・ケースを駆動する駆動手段からみると有利である。したがって、傾動部材に径方向の弾性を与えることによって、駆動手段は、チルト・ケースと傾動部材の間の不必要な摩擦に打ち勝つための力を無駄にすることなく、スラットを上げ下げするためにその力のほとんどすべてを使用することができる。したがって、チルト・ケースと傾動部材の実質的な摩擦は、必要なときすなわちスラットの傾きを変更しなければならないときにだけ存在し、この状況では、固定当接手段との係合によって傾動部材の回転は妨げられない。
【００２９】
本明細書の第１の実施例による傾動手段の一変形例では、傾動部材は、主要部分と、チルト・コードを収容するように中間溝を画定している鍔部とを含む、管状部材である。
【００３０】
本発明による傾動機構の第２の実施例によれば、傾動機構は、昇降機構から離れた別個の機構として形成されている。
【００３１】
一般的に、スラットの幅とチルト・ケース及び傾動部材の直径との間には、スラットの第１の垂直向きから水平向きを経て反対側の垂直向きまでスラットを傾動するのに必要なある関係がある。したがって、例えば幅が２０〜２５ｃｍの幅の広いスラットは、それに対応してチルト・ケース及び傾動部材の直径を大きくする必要がある。しかし、かなりの幅のスラットがベネシャン・ブラインドに用いられていても、チルト・ケース及び傾動部材の直径を制限した傾動機構を用いることができることが望ましい場合もある。この問題は、本発明に従って、二重停止機能を用いている傾動機構の特に有利な実施例によって解決され、この機構によれば、傾動部材上に設けられた当接手段が傾動部材の回転中に、固定当接手段と係合するのではなく別の回転当接手段と係合し、それによって傾動部材はチルト・ケースの周りを３６０°より大きい角度にわたって回転することができる。最後に、回転当接手段は、例えば傾動機構を支持するベアリング上に設けられた、固定当接手段を備える当接部によって停止する。こういった手段によって、傾動部材は、チルト・ケースの周りを０°から約７２０°の間で回転することができる。連続する一連の回転当接手段を設けることによってこの機構を延ばすことも可能であり、これによって、傾動部材が約Ｎ×３６０°のチルト・ケースの周りの回転を受けることができる。ここで、Ｎは、かかる回転当接手段の数＋１であり、数値１は回転当接部材のない傾動部材の場合である。この代替傾動機構の一実施例については、本明細書の実施例において詳細に説明する。
【００３２】
光が、スラットの長手方向縁部に沿った接触領域を通って貫くのを防ぐために、スラットの縁部の領域の部分はフェルト、ゴムなどの密閉材料を備えることができる。
【００３３】
いくつかの有利な効果が、本発明によるベネシャン・ブラインド・システムによって達成される。したがって、スラットをその長手方向縁部に沿って取り付けると、周知のベネシャン・ブラインド・システムにおいて昇降コードの通路のために一般に行われている、スラットの主要部分を突っ切る通路が省かれるので、美的点から非常に有利である。スラットの主要部分を通る通路がないことは、ベネシャン・ブラインドを通る光の通路の制御の点からみても有利である。本発明によるベネシャン・ブラインドに関連して、一般にある非常に大きいスラットを含むベネシャン・ブラインドでは、昇降コードの通路用のスラットを通る比較的大きい通路が設けられる必要があるはずであり、スラットを２箇所のほぼ垂直位置に傾けるのを可能にするには、このような通路をスラットの幅の相当な部分にわたって延ばす必要があるはずである。したがって、光がベネシャン・ブラインドを貫くのを防ぐために、隣接したスラットの対応する縁部分が互いにぴったりと接触しても、光はなお、スラットにある上記の比較的大きな通路を貫くはずである。したがって、上記の通路を含んでいるスラットでは、部屋を完全に暗くすることはできないが、本発明によるベネシャン・ブラインドでは達成することができる。必要なら、隣接したスラットの間を光が貫くのを防ぐために、ゴム、フェルトなどの密閉材料をスラットの縁部分に設けることさえできる。
【００３４】
スラットの清掃の点からも、コードがスラットを貫くことのない、スラットの大きく切れ目のない表面を得ることは有利である。
【００３５】
さらに、冒頭に述べたように、スラットの両縁部に沿って長手方向の縁部分があるとスラットの全体的な剛性が増し、したがって、一般に２対だけの昇降コード−チルト・コード対を用いた、大きな長手方向の延長を有するベネシャン・ブラインドが実現される。したがって、必ずしも窓の開口部だけではない大きな表面を、水平にも垂直にも大きな延長部分を有する単一のベネシャン・ブラインドで覆うことが可能である。
【００３６】
縁部分に沿ってチルト・コードを取り付けると、ベネシャン・ブラインドの最初の組立が簡単になり、ベネシャン・ブラインド全体の主要な部分を分解する必要なしに単一のスラットを取り外し、交換することも容易になる。さらに、かなりの大きさのベネシャン・ブラインドでさえ最初の組立が容易であることによって、ベネシャン・ブラインドをキットの形で購入して、現場で簡単に組み立てる可能性が広がる。例えばスラットを、非常に長い形で在庫させておくことができ、実際に必要な長さで売ることも可能である。ベネシャン・ブラインドを現場で組み立てることが容易なことも、輸送の点から有利である。
【００３７】
製造の点からも、スラットの切れ目のない表面は、例えばロール成形技術を用いてスラットを単一もので作ることができるという事実が加わり、非常に有利である。
【００３８】
最後に、スラットは、スラット上に様々な形の音響減衰の配置を設けることによって、部屋の音響特性を変えるために使用することもできる。スラットの傾動を利用して、スラットの音響効果を変えることさえでき、スラットが垂直位置の一方にあるときはしっかりした音響面を、又はスラットが傾動されたときは様々な程度の音響減衰を得ることが可能である。
【００３９】
次に、添付の図面を参照して、本発明を詳細に説明する。
【実施例】
【００４０】
下記に、本発明の現在好ましい実施例の詳細な説明を示す。
【００４１】
図１を参照すると、全体を１で示す本発明によるスラットの横断面図が示されている。上記スラットは、長手方向に延びる主要部分２を含み、この主要部分２はこの実施例によれば上側にアーチ状であるが、他の断面形状も考えられる。上記スラットは、以下に上端部分と呼ぶ第１の部分３’と、以下に底部分４と呼ぶ内側に延びる第２の部分４を含む、前面及び背面の長手方向縁部分３を備え、底部分４は、示されている実施例ではほぼ平面状である。底部分４は、スラットの主要部分２の底面の方を向いている取付部分５に終端する。取付部分５とスラットの底面の間に、上端部分３’、底部分４、取付部分５の間に形成された間隔に、適切な取付手段１２を挿入するための間隙６が形成されている。
【００４２】
この実施例によるスラットは、ロール成形など周知の技術によって簡易に製造されることができる。
【００４３】
図２を参照すると、本発明によるスラット１の任意選択の実施例が示され、スラット１は底部パネル７を備えている。底部パネル７は図２に示されるようにほぼ平面状でよいが、他の断面形状を有することもできる。上記パネルは、単一の切れ目のない表面を含んでいる。例えば、このパネルは純粋に装飾的な目的のために設けられてもよく、或いは音響減衰要素として、それ自体周知の方法で、例えばパネルを貫く通路８の適当なパターンを設けることによって形成されてもよい。これらの通路は、例えば円形、又は細長いスリットの形を有してもよいが、多くの他の形状も可能である。パネル７はその長手方向縁部に沿って、例えばスラット１の取付部分５に沿って又は間隙６を介してスラット１に取り外し可能に取り付けるための取付部分１１を備える。音響減衰特性を最適にするには、底部パネル７にさらに、上記通路８を覆う音響減衰用の織布９を備えてもよい。さらに、スラット１の主要部分２の底面と底部パネル７の間に形成された内部空間１０に、適切な音響減衰材料を備えてもよい。パネルの代わりに織布を単独で用い、この織布にその縁部に沿って適当な取付手段を設けることも可能である。
【００４４】
本発明によるスラット用の取付手段がいくつか想定できる。これらの取付手段のための第一条件は、それがスラットの第１と第２の縁部分の間の間隙を通り抜け、その間隙を通り抜けた後に、上記の部分の間の間隔内に保持できることである。
【００４５】
図３ａ及び図３ｂを参照すると、本発明によるスラット２と共に使用するための取付手段１２の実施例が示されている。ここで、縁部分３はほぼ硬質であると、すなわち間隙６は取付部分５から上端部分３’の間のほぼ硬質な境界によって画されているものとする。この実施例による取付手段は、中央の輪部分１６に対して対照的に形成された金属製のワイヤ又は他の適当な材料のクリップからなり、さらに、中央の輪部分１６のほぼ平面内にある第１の脚部分１５と、中央の輪部分１６及び第１の脚部分１５の平面に対して角度Ａをなす平面にある第２の脚部分１４及び第３の脚部分１３とを含む。角度Αは、取付手段１２が間隙６を通って挿入された後に縁部分３の間隔３″内に保持されるように、スラット２の第１の縁部分３’と第２の縁部分４の間の対応する角度Βに応じて選択される。コード１７が輪部分１６を通ってスラット２をチルト・コード１９に連結し、それによってスラット２はチルト・コード１９から吊るされる。コード１７と対向して輪１８があり、それを昇降コード２０が通り抜け、それによって昇降コード２０はチルト・コード１９とほぼ平行する。
【００４６】
図４ａ及び図４ｂを参照すると、本発明による他の断面形状のスラットの概略図が示されている。多数のその他の形状も勿論、添付の特許請求の範囲によって定義される本発明の範囲内に入る。
【００４７】
図３ａ及び図３ｂに示されている上記取付手段は、図４ａ及び図４ｂに示されている縁部分３に関しては使用されることができない。図４ａ及び図４ｂの縁部分と共に使用する取付手段の２つの代替実施例が、図４ｃ及び図４ｄに示されている。図４ｃに示されている取付手段は、図４ａ及び図４ｂに示されている間隙６をそれが通り抜けられるのに十分な弾性のある材料から作られ、チルト・コード１９に連結されたコード２５を固定するための周溝２４を備える円筒状のロッド２３を含んでいる。或いは、コード２５は例えばその成形中に、円筒状のロッド２３内に埋め込むこともでき、或いは円筒状のロッド２３内に設けられた通路を通過させることもできる。円筒状のロッド２３の代わりに、図４ｄに示されている弾性のある球体２６も使用することができる。縁部分３が上記のような弾性をもつ場合は、代わりに上記取付手段が硬質な材料で作成できることが理解されよう。
【００４８】
次に図５を参照すると、本発明によるベネシャン・ブラインドにおいて、単一の昇降コード−チルト・コード対を制御するために使用するための昇降及び傾動機構３０の第１の実施例の概略図が示されている。この機構は、例えば窓の開口部の上側部分又は天井などに取り付けられたハウジング３１に取り付けられる。本発明によるベネシャン・ブラインドの主要部品は、長手方向に延びるシャフト３３を含み、このシャフトはいくつか（一般に２つ）の昇降及び傾動機構に対して共通であってもよいが、複数の昇降及び傾動機構ごとの別個のシャフト３３も考えることができ、そのそれぞれは、参照番号３４で示すモータなどの適当な駆動手段を備えている。こういった場合の前者の場合では、昇降及び傾動機構の同期化は、共通の駆動シャフトを用いることによって確保されるが、後者の場合には、異なる昇降及び傾動機構を同期化する手段が必要なことがある。図４に示されている実施例によれば、シャフト３３の少なくとも一部分が、シャフト内部にモータ３４を収容するために中空になっているが、モータ及びシャフトを連結している駆動手段の他の配置も、本発明による昇降及び傾動機構から逸脱することなく使用することができる。示されている実施例では、モータの駆動シャフト３３が上記のハウジング３１に取り付けられている。
【００４９】
シャフト３３と共に回転するように、且つシャフト３３の所定の長手方向の距離にわたって軸方向に移動するように寸法決めされた管状部材３６がシャフト３３の周りに設けられ、この移動が、図４及び図５の矢印Ｃよって示されている。シャフト３３と共に回転し、それと同時にシャフト３３上を移動することが、この昇降及び傾動機構の実施例に従って、管状部材３６から径方向内側に延びる係合手段３７とシャフト３３に設けられた長手方向溝３８との係合によって得られる。管状部材３６は、図４及び図５に概略的にだけ示されている適切なベアリング４０によってハウジング３１に対して回転するように取り付けられている。
【００５０】
図５に示されるように、スラット２を上げ下げするための昇降コード２０の対が、管状部材３６の周りにらせん状に巻き付けられている。昇降コード２０をシャフト３３と管状部材３６の回転中にそれらの適切な長手方向位置上に維持するために、昇降コード２０は示した実施例ではベアリング４０に設けられた溝４６を通って導かれるが、昇降コード２０の長手方向位置を維持するための他の配置も、本発明による昇降及び傾動機構から逸脱することなく使用できることが理解されよう。昇降コードの端部４３が、管状部材３６に固定されている。昇降コード２０を管状部材３６に巻き上げ、繰り出すことが、図に示すように二連のらせん状の形で行われる。ここで、一方の昇降コードが黒色で示され、もう一方が白抜きの表示で示されている。シャフト３３及び管状部材３６がモータ３４によって制御され回転すると、昇降コード２０のスラット２に向かって下方向に向かう部分が長手方向の位置を維持することによって、管状部材がシャフトに対する長手方向に移動し、それによって、昇降コード２０がその回転方向に従って管状部材３６に巻き上げ、繰り出される。
【００５１】
本発明による昇降及び傾動機構の第２の実施例が、図６に示されている。この実施例によれば、管状部材３６はその周面上に、固定ベアリング４０にある対応するスレッド４４と係合するためのスレッド３９を備える。この実施例によれば、シャフト３３上における管状部材３６の長手方向の移動は、管状部材３６上にあるスレッド３９と固定ベアリング４０にあるスレッド４４との係合によって達成される。管状部材３６上にあるスレッドはさらに、昇降コード２０が管状部材上に確実に巻き上げ繰り出されるようにする目的に適う。というのは、このスレッドは、所与の昇降コード対の２本の昇降コード２０をスレッドの単一の溝内部に収容するように形成されているからである。したがって、この実施例によるスレッドは、スレッドの単一の溝内に２本のコードを並んだ関係で収容するように形成された単一のスレッドである。
【００５２】
本発明による昇降及び傾動機構の第３の実施例（図示せず）によれば、第２の実施例に含まれている単一のスレッドが二連スレッドで置き換えられ、各スレッドは、所与の昇降コード対の１本の昇降コード２０を収容する。
【００５３】
本発明による昇降及び傾動機構の上記第２及び第３の実施例の好ましい変形例によれば、円筒状のチルト・ケース４１の内側周面（以下に説明する）が、管状部材３６上にあるスレッド３９の頂部にほぼ接触し、それによって昇降コード２０を収容するためのほぼ閉じた間隔が管状部材３６とケース４１の内側周面の間に形成され、したがってこの間隔により、上記機構の動作中に昇降コード２０が絡まり合う、又は管状部材３６との接触が外れるのが防止される。
【００５４】
管状部材３６と固定ベアリング４０の間の領域内に昇降コード２０を収容できるようにするために、十分な間隔が勿論、図６に示されているように、対応するスレッド同士の間に設けられなければならない。スレッドの好ましい選択は、台形のスレッドであることが判っているが他の形状が使用されてもよい。
【００５５】
次に図７ａ及び図７ｂを参照すると、本発明の一実施例による傾動機構が示されている。図７ａを参照すると、上記傾動機構は、上記駆動シャフト３３の周りに同軸に設けられ、且つその駆動シャフト３３に連結されて該駆動シャフト３３と共に回転する円筒状のチルト・ケース４１を含み、そのチルト・ケース４１の外側周面の周りには、環状の、径方向に弾性のある傾動部材４２が設けられている。上記傾動部材４２は、その傾動部材４２が径方向に延長することを可能にするための、軸方向に延びる間隙４７を含んでもよいが、これは傾動機構を機能させるための必要条件ではない。傾動部材４２の直径は、その傾動部材とチルト・ケース４１の間に摩擦力がかかるように選択され、それによってチルト・ケース４１が回転すると、傾動部材４２はチルト・ケース４１及び駆動シャフト３３と同時に回転する。しかし、間隙４７の付近に設けられた舌片４８が固定当接部５０に接触すると、矢印Ｄの方向の傾動部材４２の回転が妨げられる。同様にその反対方向の回転に対しては、矢印Ｅで示されているが、舌片４９が固定当接部５１に接触すると傾動部材４２の回転が妨げられる。
【００５６】
図７ｂを参照すると、本発明による傾動機構の細部の概略図が示されている。ベネシャン・ブラインドのチルト・コード１９１及び１９２が傾動部材４２上のほぼ正反対の点５６及び５７にそれぞれ取り付けられ、傾動部材の周りに巻き付けられている（このチルト・コードは、傾動部材のその主要部分５４と鍔部５３の間に設けられた溝５２に収容されているが、これは図７ｂからは明らかではない）。傾動部材４２の回転は、この傾動機構の実施例に従って舌片４８と当接部５０の間の接触、又は舌片４９と当接部５１の間の接触（図７ｂの当接部５０の背後に隠れている）に対応して約３６０°の角度範囲にわたって行われる。この回転によって、一方のチルト・コード１９１は例えば下向き方向に動き、もう一方のチルト・コード１９２は上向き方向に動き、したがって、チルト・コードに取り付けられたスラット２は、傾動動作を受ける。したがって、チルト・ケース４１の直径とスラット２の幅の比を適切に選択することによって、スラット２を、図６ｃに示されるように、第１のほぼ垂直位置Ｉと、それに対向する、やはりほぼ垂直位置ＩＩの間で傾動させることができる。スラット２の傾動角度の範囲は、チルト・ケース４１の直径を変更することによって、又は当接部５０、５１の位置を変更することによって変更することができ、それによって、傾動部材４２がほぼ完全な３６０°の回転を受けるのを妨げることができる。
【００５７】
図７ｂに示されている状態では、チルト・ケース４１は、矢印Ｅで示されているように反時計回りに回転し、それによって舌片４８は当接部５０と接触する。したがって、傾動部材４２はさらに反時計回りに回転することができない。チルト・ケース４１と傾動部材４２の間の摩擦力Ｆはこの後、傾動部材４２にある間隙４７の幅を増大させる傾向にあり、したがって傾動部材４２の直径を増し、したがって前述のようにチルト・ケースと傾動部材の間の摩擦力を減じる。その後のチルト・ケース４１の時計回りの回転によって、他方の舌片４９とそれに対応する当接部５１の間の係合が確立するまで、傾動部材４２はチルト・ケース４１と共に自由に回転するようになる。チルト・ケース４１がさらに時計回りに回転することによって、傾動部材４２の直径が再度増す傾向になり、それによってチルト・ケース４１と傾動部材４２の間の摩擦力を減じる。
【００５８】
図７ｂに示されている状態では、チルト・コード１９１は、傾動部材４２から最大限に繰り出されていて、したがって傾動部材４２の周上に約１／２回転のコードを残している。約１と１／２回転のコードに一致するもう一方のチルト・コード１９２が、傾動部材４２上に最大限に巻き付けられていている。
【００５９】
本発明による昇降及び傾動機構の一代替実施例が、図８に示されている。この実施例によれば、昇降及び傾動機構は、互いに離れた別個の機構の形で駆動シャフト３３上に設けられている。図８によれば、傾動機構５８はさらに、チルト・コード１９の両方の対を操作するように設計されているが、上述のように、チルト・コードの対ごとに傾動機構を設けることも可能である。図８に示されている昇降機構は、上述のように単一スレッド又は二連スレッドタイプの、昇降コードを収容するためのスレッドを含む実施例のものであるが、スレッドを含まない機構も原理的には使用することができる。さらに、スレッドの開放領域を閉じるための、且つ管状部材及びその周りに巻き付けられる昇降コードを保護するための他のハウジング（図示せず）が、上述のように設けられてもよい。
【００６０】
図８では、駆動シャフトが、適当なモータによって駆動される。このモータは駆動シャフト内に挿入することができ、このためにこの駆動シャフトは２つのセクションに分割されるが、シャフト３３を駆動する他の手段も、例えば上述のように駆動シャフトの中空部分内部に収容されたモータなどとして用いてよいことが理解されよう。
【００６１】
次に図９を参照すると、上述の二重停止機能を備えた本発明による傾動機構の代替実施例５８が示されている。この傾動機構は、固定ベアリング５９によって支持されている。この傾動機構は、例えば適当なスロットとキーの配置７０などによって駆動シャフト３３と共に回転可能なように取り付けられた傾動ドラム６０を含む。傾動ドラムの周りに、傾動部材の径方向の拡張／圧縮を容易にするためにスリットによって長手方向に分割された傾動部材６１が設けられている。２つの当接手段６３が、上記スリットに隣接して、すなわち傾動部材周囲の両端に設けられている。前述の傾動機構の実施例では、これらの当接手段は、例えば固定ベアリング上などに設けられた固定当接手段と係合するはずであるが、図９に示されている実施例によれば、これらの当接手段６３のどちらかと、回転可能な当接リング６４上に設けられ傾動ドラム６０の周りを回転する舌片６５とで係合が行われる。傾動部材６１の回転中に第１の当接手段６３のどちらかが舌片６５と係合すると、回転可能な当接リング上の当接部分６６の両端上に形成された端面６７のどちらかが、固定ベアリング５９上の適当な位置に設けられている固定当接手段６８と係合するまで、傾動部材６１の回転は継続する。
【００６２】
チルト・コード１９は、適当な滑車（例えば６９）のシステムを介してスラットから導かれ、例えば傾動機構の第１の実施例に関してすでに示されているものに対応した形で、傾動部材の周りに巻き付けられる。このようなチルト・コードが図９に示されているが、このチルト・コードが傾動部材の周りに実際に巻き付けられる方法は変更することができ、それは当分野の技術者には自明である。図９では、チルト・コードが第１の当接手段６３に取り付けられているが、他の周上の位置で傾動部材にチルト・コードを取り付けることもできる。結局、各チルト・コード対の１本のチルト・コードだけが図９に示されているが、対応するチルト・コードも傾動部材に連結されている（図では傾動機構及び駆動シャフト３３で隠され見えない）。
【００６３】
回転可能な当接リング６４の、したがって傾動ドラム６０の周りにある傾動部材６１の回転範囲は、当接部分６６の円周の長さによって決定される。したがって、当接部分の円周の長さを適切に選択することによって、所望の回転範囲を設定することができる。
【００６４】
図１０ａ、１０ｂ及び１０ｃを参照すると、図１０ａに示されている昇降機構の管状部材３６への昇降コード２０の代替ルーティングの概略図が示されている。図１０ｂは２つの滑車６９を含む第１の代替方法を示し、図１０ｃは単一の滑車６９だけを含む第２の代替方法を示している。どちらの代替方法でも、滑車は固定ベアリング４０内部に配置され、昇降コード用の適当な開口及び／又は溝が固定ベアリング内に設けられている。他の昇降コード用ルーティング機構も当分野の技術者には考えられる。
【００６５】
図１１を参照すると、スラット２と、取付手段１２と、上記に詳細に説明した本発明の一実施例による昇降及び傾動機構３０とを含む本発明によるベネシャン・ブラインドの実施例の概要が示されている。
【００６６】
このスラットはオプションとして、光がスラット同士の間の接触領域を貫くのを防ぐために、隣接したスラット同士の間の接触領域内に弾性のあるバンドを備えることができる。ベネシャン・ブラインドの操作中に隣接したスラットが互いに接触すると、このような弾性のあるバンドによって雑音の生成も防止される。
【００６７】
図１２ａ及び１２ｂを参照すると、本発明によるベネシャン・ブラインドの一代替実施例が示され、ベネシャン・ブラインドの全体的な安定性を増すために、垂直に延びる支持コード７１がスラット２の長手方向の両端に設けられている。支持コードと呼んでいるが、他の手段、例えば適当な大きさのほぼ硬質なロッドが使用されてもよいことが理解されよう。支持コード７１は、スラットの長手方向の端に取り付けられた支持部材７２に設けられた通路７３を通り抜ける。この取り付けのために、スラットの端部は、例えばスラットの中空構造内に挿入するように形成されたエンド・キャップ又は部材７４を備えることができる。スラットの傾動操作を妨げないために、支持部材７２は、この部材を介して軸Ｘ’の周りを回転するように、すなわちスラットに対して回転するように取り付けられる。
【００６８】
スラットの長手方向の両端のところに支持部材７２又は同等の部材を設けると、本発明によるベネシャン・ブラインドの他の代替実施例となる。図１２ａに示すように、支持コード７１だけがスラットの長手方向の両端のところに設けられ、チルト・コード１９も昇降コード２０もスラットに対して前述のように配置される。しかし、例えば昇降コード２０’を支持部材７２にある第２の通路７５に通し、最下段スラットにその昇降コード２０’を取り付けることによって、昇降コードをスラットの長手方向の両端のところに設けることも可能である。この代替実施例によって、本発明の目的の１つである、スラットを貫く昇降コードのための通路の省略も達成される。
【００６９】
本発明の様々な実施例を示し説明したが、添付の特許請求の範囲によって定義される本発明の範囲から逸脱することなく、本発明の他の実施例が当業者には考えられることが理解されよう。
【図面の簡単な説明】
【００７０】
【図１】本発明によるスラットの横断面図である。
【図２】スラットの底部分上に音響減衰パネルを備えた、図３に示されているスラットの横断面図である。
【図３ａ】スラットをチルト・コードに取り付けるために使用されるクリップの図である。
【図３ｂ】スラットをチルト・コードに取り付けるために使用されるクリップの図である。
【図４ａ】本発明による２つの代替スラットの横断面図である。
【図４ｂ】本発明による２つの代替スラットの横断面図である。
【図４ｃ】図４ａ及び図４ｂに示されているスラット用の代替取付手段の図である。
【図４ｄ】図４ａ及び図４ｂに示されているスラット用の代替取付手段の図である。
【図５】本発明による昇降傾動組合せ機構（昇降及び傾動機構）の第１の実施例の図である。
【図６】本発明による昇降傾動組合せ機構（昇降及び傾動機構）の第２の実施例の図である。
【図７ａ】本発明による傾動機構の斜視概略図である。
【図７ｂ】傾動機構の長手方向一端から見た本発明による傾動機構の概略図である。
【図８】２つの別個の昇降機構及び図９に示されているような単一の別個の傾動機構を含んだ、本発明による昇降及び傾動機構の第２の実施例の斜視概略図である。
【図９】傾動機構の必要な直径を縮小するための二重停止機能を備えた、本発明による傾動機構の第２の実施例の斜視概略図である。
【図１０ａ】昇降機構の管状部材への昇降コードの代替ルーティングの概略図である。
【図１０ｂ】昇降機構の管状部材への昇降コードの代替ルーティングの概略図である。
【図１０ｃ】昇降機構の管状部材への昇降コードの代替ルーティングの概略図である。
【図１１】本発明によるベネシャン・ブラインドの、主要部品だけを側面から見た概略図である。
【図１２ａ】スラットの長手方向におけるベネシャン・ブラインドの安定性を増すために横方向の支持コードを含む、本発明の代替実施例によるベネシャン・ブラインドの概略図である。
【図１２ｂ】図１２ａに示されているベネシャン・ブラインドの細部概略図である。
【符号の説明】
【００７１】
１  スラット
２  スラットの主要部分
３  スラットの長手方向縁部分
４  スラットの底部分
５  スラットの取付部分
６  間隙
７  底部パネル
８  通路
９  織布
１０  内部空間
１１  底部パネルの取付部分
１２  取付手段
１３  第３の脚部分
１４  第２の脚部分
１５  第１の脚部分
１６  中央の輪部分
１７  取付コード
１８  輪
１９  チルト・コード
２０  昇降コード
２１  取付手段
２２  取付手段
２３  円筒状のロッド
２４  周囲の溝
２５  コード
２６  球体
３０  昇降及び傾動機構
３１  ヘッド・レール
３２  天井
３３  シャフト
３４  モータ
３５  ヘッド・レールへのモータ駆動シャフトの取り付け
３６  管状部材
３７  管状部材の係合手段
３８  長手方向溝
３９  管状部材上のスレッド
４０  固定ベアリング
４１  円筒状のチルト・ケース
４２  傾動部材
４３  昇降コードの端部
４４  固定ベアリング内のスレッド
４５  スレッド間の間隙
４６  昇降コード用の固定ベアリングを通る溝
４７  傾動部材内の間隙
４８  傾動部材にある間隙の片側に取り付けられた舌片
４９  傾動部材にある間隙のもう一方側に取り付けられた舌片
５０  当接部
５１  当接部
５２  傾動部材にある周囲の溝
５３  傾動部材の周囲の鍔部
５４  傾動部材の主要部分
５５  ヘッド・レールの底部分
５６  チルト・コードの取付点
５７  チルト・コードの取付点
５８  傾動機構（第２の実施例）
５９  傾動機構の固定ベアリング
６０  傾動ドラム
６１  傾動部材
６２  スリット
６３  当接手段
６４  回転可能な当接リング
６５  当接舌片
６６  当接部分
６７  当接部分の端面
６８  固定当接部
６９  滑車
７０  キー
７１  支持コード
７２  支持部材
７３  通路
７４  エンド・キャップ
７５  通路
【図１】
2006522245.tif 000003
2006522245.tif 000004
【図２】
2006522245.tif 000005
2006522245.tif 000006
【図５】
2006522245.tif 000007
【図６】
2006522245.tif 000008
2006522245.tif 000009
2006522245.tif 000010
【図８】
2006522245.tif 000011
【図９】
2006522245.tif 000012
2006522245.tif 000013
【図１１】
2006522245.tif 000014
2006522245.tif 000015
2006522245.tif 000016
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
主要部分（２）によって連結された、前面及び背面の長手方向に延びる縁部分（３）を有し、前記縁部分（３）がそれぞれ、その間に間隔（３”）を形成する前記主要部分（２）に対して横方向に延びる第１の部分（３’）と対向する第２の部分（４）を含み、前記縁部分（３）がさらに間隙（６）を備え、前記間隔（３”）が前記間隙（６）を通って外側からアクセス可能であり、前記間隙（６）の幅が前記第１の部分（３’）と第２の部分（４）の間の最大距離より小さいベネシャン・ブラインド用のスラットであって、前記スラットを貫くことなく前記間隔（３”）に取付手段（１２、２１、２２）を挿入するために、前記間隙（６）が使用されることを特徴とする、ベネシャン・ブラインド用のスラット。
【請求項２】
両端の互いに向かい合う前記第２の部分（４）が、前記主要部分（２）の下側表面の方に延びる取付部分（５）を備え、前記間隙（６）が、前記取付部分（５）と前記下側表面の間に設けられていることを特徴とする、請求項１に記載のベネシャン・ブラインド用のスラット。
【請求項３】
前記間隙（６）が、前記間隙（６）を通る取付手段の挿入、取り外しを容易にするための弾性のある境界を有することを特徴とする、請求項１又は２に記載のベネシャン・ブラインド用のスラット。
【請求項４】
前記底部分（４）がほぼ平面状であることを特徴とする、請求項２に記載のスラット。
【請求項５】
前記主要部分（２）がアーチ状であることを特徴とする、請求項１に記載のスラット。
【請求項６】
前記主要部分（２）がほぼ平面状であることを特徴とする、請求項１に記載のスラット。
【請求項７】
前記主要部分（２）が曲線状又は波状であることを特徴とする、請求項１に記載のスラット。
【請求項８】
前記スラット（２）が、金属、複合材料又はグラスファイバを含むグループの材料で作られていることを特徴とする、請求項１に記載のスラット。
【請求項９】
前記スラット（２）がさらに、化粧板（ｖｅｎｅｅｒ）によって覆われていることを特徴とする、請求項８に記載のスラット。
【請求項１０】
前記縁部分（３）が、前記主要部分（２）の一体的部分として形成されていることを特徴とする、請求項１に記載のスラット。
【請求項１１】
前記縁部分（３）が、前記主要部分（２）に取り付けるための別個の部分として形成されていることを特徴とする、請求項１に記載のスラット。
【請求項１２】
前記スラットの少なくとも１つが、前記前記スラット（２）が縁部分（３）に形成された前記間隙（６）内に取り外し可能に挿入されるように形成された底部パネル（７）を備えることを特徴とする、請求項１から１１までのいずれか一項に記載のスラット。
【請求項１３】
前記底部パネル（７）が、前記底部パネルを貫く通路（８）のパターンを備えることを特徴とする、請求項１２に記載のスラット。
【請求項１４】
前記通路（８）がほぼ円形であることを特徴とする、請求項１３に記載のスラット。
【請求項１５】
前記通路（８）が細長いスリットであることを特徴とする、請求項１３に記載のスラット。
【請求項１６】
前記底部パネル（７）と前記スラットの前記主要部分（２）の前記下側表面との間に形成された前記ボリューム（１０）が、音響減衰材料で部分的に、又は完全に充填されていることを特徴とする、請求項１１から１５までのいずれか一項に記載のスラット。
【請求項１７】
前記パネル（７）が、前記底部パネル（７）の少なくとも一部分を覆って延びる織布（９）を備えることを特徴とする、請求項１２から１６までのいずれか一項に記載のスラット。
【請求項１８】
前記底部パネル（７）が、ほぼ平面状であることを特徴とする、請求項１１から１７までのいずれか一項に記載のスラット。
【請求項１９】
前記底部パネル（７）が、アーチ状であることを特徴とする、請求項１１から１７までのいずれか一項に記載のスラット。
【請求項２０】
前記縁部分（３）が、前記スラットがほぼ垂直位置の一方にあるときに、前記隣接したスラット同士の間の領域を光が貫くのを防ぐための密閉手段を備えることを特徴とする、請求項１に記載のスラット。
【請求項２１】
前記取付手段（１２、２１、２２）が、前記間隔（３”）の前記境界（３’、４、５）と係合するために、前記間隙（６）を通って前記間隔（３”）内に挿入されるように形成されていることを特徴とする、請求項１から２０までのいずれか一項に記載の、スラットを取外し可能に取り付けるための取付手段。
【請求項２２】
中央の輪部分（１６）のほぼ平面内にある第１の脚部分（１５）に連結され、且つ前記中央の輪部分（１６）及び前記第１の脚部分（１５）の平面に対して角度（Ａ）をなす平面内にある第２及び第３の脚部分（１４、１３）に連結された前記中央の輪部分（１６）を備えることを特徴とする、請求項２１に記載の取付手段。
【請求項２３】
円筒状のロッド（２３）として形成されていることを特徴とする、請求項２１に記載の取付手段。
【請求項２４】
球体（２６）として形成されていることを特徴とする、請求項２１に記載の取付手段。
【請求項２５】
前記間隙（６）を通り挿入されることを容易にするために、弾性があることを特徴とする、請求項２１から２４までのいずれか一項に記載の取付手段。
【請求項２６】
硬質であることを特徴とする、請求項２１から２４までのいずれか一項に記載の取付手段。
【請求項２７】
請求項１から２０までのいずれか一項に記載の複数の平行な細長いスラットを含み、さらに、請求項２１又は２２に記載の取付手段（１２）によって、前記スラットの前記前面及び背面の縁部分（３）に取り外し可能に取り付けられるための少なくとも２対のチルト・コード（１９）と、前記チルト・コード（１９）とほぼ平行し、前記スラットの最下段に取り付けられた少なくとも２対の昇降コード（２０）を含む、大きな窓パネルを覆うためのベネシャン・ブラインド。
【請求項２８】
共通の駆動手段（３４）によって回転するように駆動される共通の駆動シャフト（３３）上に設けられた別個の昇降及び傾動機構（３０）によって、前記チルト・コードの対（１９）及び前記昇降コードの対（２０）がそれぞれ操作されることを特徴とする、請求項２７に記載のベネシャン・ブラインド。
【請求項２９】
別個の駆動手段（３４）によって回転するように駆動される前記機構（３０）ごとに別個の駆動シャフト（３３）上に設けられた別個の昇降及び傾動機構（３０）によって、前記チルト・コードの対（１９）及び前記昇降コードの対（２０）がそれぞれ操作されることを特徴とする、請求項２７に記載のベネシャン・ブラインド。
【請求項３０】
前記昇降及び傾動機構（３０）のそれぞれが、前記駆動シャフト（３３）と共に回転し、このシャフトを介して軸方向に移動するように取り付けられた管状部材（３６）と、前記昇降コード（２０）をその適切な軸方向の位置に維持し、前記管状部材（３６）の外側周面に導く案内手段（４６）を含み、それによって、前記管状部材（３６）が回転すると前記昇降コード（２０）が前記管状部材（３６）の周面に巻き上げ繰り出され、その結果、前記管状部材（３６）が回転するにつれて前記スラット（２）が上げ下げされることを特徴とする、請求項２８又は２９に記載のベネシャン・ブラインド。
【請求項３１】
前記管状部材（３６）が、前記管状部材（３６）の外側周面上に、前記所与の昇降コード対の昇降コード（２０）をそれぞれそこに収容するための単一スレッド（３９）を備えることを特徴とする、請求項３０に記載のベネシャン・ブラインド。
【請求項３２】
前記管状部材（３６）が、前記管状部材（３６）の外側周面上に、前記所与の昇降コード対の昇降コード（２０）をそれぞれ前記管状部材（３６）の別個のスレッドに収容するための二連スレッドを備えることを特徴とする、請求項３０に記載のベネシャン・ブラインド。
【請求項３３】
前記管状部材（３６）の外側周面上に設けられた前記単一／二連スレッドが、前記管状部材（３６）を支持する固定ベアリング（４０）にある対応するスレッド（４４）と係合していることを特徴とする、請求項３１又は３２に記載のベネシャン・ブラインド。
【請求項３４】
前記スレッドが台形状であることを特徴とする、請求項３１から３３までのいずれか一項に記載のベネシャン・ブラインド。
【請求項３５】
間隙（４５）が、前記昇降コード（２０）を前記間隙（４５）内に収容するように、前記管状部材（３６）上の前記スレッドと前記固定ベアリング（４０）上のスレッドの間に形成されていることを特徴とする、請求項３４に記載のベネシャン・ブラインド。
【請求項３６】
前記昇降及び傾動機構（３０）が、所与の昇降コード−チルト・コード対の前記チルト・コード（１９）を連結する傾動手段を含み、前記傾動手段が、前記駆動シャフト（３３）の周りにそれと共に回転するように同軸に設けられた円筒状のチルト・ケース（４１）を含み、前記チルト・ケース（４１）の外側周面の周りに設けられた傾動部材（４２）が、前記傾動部材（４２）上に設けられた第１の手段（４８、４９）によって決定された所定の角度範囲にわたって、前記回転が対応する固定当接手段（５０、５１）と接触している間に、前記傾動部材（４２）と前記チルト・ケース（４１）の間の摩擦により前記チルト・ケース（４１）の回転に追従し、それで、前記チルト・コード（１９）が、前記傾動部材（４２）の周りに巻き付けられ、その結果前記傾動部材（４２）の一方向の回転が前記所与のチルト・コード対の一方のチルト・コードを前記傾動部材（４２）から繰り出させ、前記所与のチルト・コード対のもう一方のチルト・コードを前記傾動部材（４２）上に巻き上げさせることを特徴とする、請求項２８から３５までのいずれか一項に記載のベネシャン・ブラインド。
【請求項３７】
前記傾動部材（４２）が径方向に弾性をもつことを特徴とする、請求項３６に記載のベネシャン・ブラインド。
【請求項３８】
前記傾動部材（４２）が、軸方向に延びる間隙（４７）を備えることを特徴とする、請求項３７に記載のベネシャン・ブラインド。
【請求項３９】
前記傾動部材（４２）が、主要部分（５４）と、前記チルト・コード（１９）を収容するための中間溝（５２）を画成する鍔部（５３）とを含む管状部材であることを特徴とする、請求項３６から３８までのいずれか一項に記載のベネシャン・ブラインド。
【請求項４０】
前記チルト・コード（１９１、１９２）のそれぞれの両端が、前記傾動部材（４２）上に互いにほぼ正反対にある点（５６、５７）のところで前記傾動部材（４１）に取り付けられ、前記チルト・コードが、前記傾動部材（４２）上に対向する方向に巻き付けられることを特徴とする、請求項３７から３９までのいずれか一項に記載のベネシャン・ブラインド。
【請求項４１】
前記駆動手段（３４）が、前記駆動シャフト（３３）内部に固定式に収容された１つ又は複数のモータであることを特徴とする、請求項２８又は２９に記載のベネシャン・ブラインド。
【請求項４２】
前記昇降コード（２０）のそれぞれが、前記対応する昇降コード（１９）に取り付けられた輪（１８）を通り抜け、それによって前記昇降コード（２０）が前記対応するチルト・コード（１９）とほぼ平行することを特徴とする、請求項２７に記載のベネシャン・ブラインド。
【請求項４３】
２対の昇降コード−チルト・コード対（１９、２０）を含み、前記対（１９、２０）のそれぞれを前記スラット（２）に取り付ける点が、前記スラット（２）の長手方向の両端から前記スラット（２）の全長のほぼ１／５に相当する距離にあることを特徴とする、請求項２７に記載のベネシャン・ブラインド。
【請求項４４】
前記昇降及び傾動機構が、１対又は複数対の昇降コード−チルト・コード対の前記チルト・コード（１９）を連結する傾動手段を含み、前記傾動手段が、前記駆動シャフト（３３）の周りにそれと共に回転するように同軸に設けられた傾動ドラム（６０）を含み、前記傾動ドラム（６０）の外側周面の周りに設けられた傾動部材（６１）が、前記傾動部材（６１）上に設けられた第１の当接手段（６３）によって決定された所定の角度範囲にわたって、前記回転が回転可能な当接リング（６４）上に設けられた当接舌片（６５）と接触している間に、前記傾動部材（６１）と前記傾動ドラム（６０）の間の摩擦により前記傾動ドラム（６０）の回転に追従し、したがって回転可能な当接リング（６４）の一部分が、固定当接手段（６８）と係合することによってさらに回転することが妨げられるまで、前記傾動ドラム（６０）がさらに回転し、その結果前記回転可能な当接リング（６４）が、前記傾動ドラム（６０）の周りに回転し、それで、前記チルト・コード（１９）が、前記傾動部材（６１）の周りに巻き付けられ、その結果前記傾動部材（６１）の一方向の回転が前記所与のチルト・コード対の一方のチルト・コードを前記傾動部材（６１）から繰り出され、前記所与のチルト・コード対のもう一方のチルト・コードを前記傾動部材（６１）上に巻き上げられることを特徴とする、請求項２８から３５までのいずれか一項に記載のベネシャン・ブラインド。
【請求項４５】
前記傾動部材（６１）が径方向に弾性をもつことを特徴とする、請求項４４に記載のベネシャン・ブラインド。
【請求項４６】
前記傾動部材（６１）が、軸方向に延びるスリット（６２）を備えることを特徴とする、請求項４４に記載のベネシャン・ブラインド。
【請求項４７】
前記チルト・コード（１９１、１９２）のそれぞれの両端が、前記傾動部材（６１）上に互いにほぼ正反対にある点のところで、前記傾動部材（６１）に取り付けられ、前記チルト・コードが、前記傾動部材（６１）上に対向する方向に巻き付けられることを特徴とする、請求項４４から４６までのいずれか一項に記載のベネシャン・ブラインド。
【請求項４８】
前記回転可能な当接リング（６４）の前記部分の円周の延長を利用して、前記傾動ドラム（６０）の周りの前記傾動部材（６１）の回転範囲を設定するように、前記部分が円周方向に隔置された２つの端面（６７）を備えることを特徴とする、請求項４４に記載のベネシャン・ブラインド。
【請求項４９】
支持コード（７１）が、前記スラットと係合するように前記スラット（２）の長手方向の各端部に設けられ、それによって前記ベネシャン・ブラインドの安定性を増すことを特徴とする、請求項２７に記載のベネシャン・ブラインド。
【請求項５０】
前記支持コードが、前記スラット（２）の長手方向の両端のところに設けられた支持部材（７２）に設けられた通路（７３）を通過させられることを特徴とする、請求項４９に記載のベネシャン・ブラインド。
【請求項５１】
前記スラット（２）が、前記支持部材（７２）を前記スラット（２）に取り付けるためのエンド・カップ（７４）を備えることを特徴とする、請求項４９又は５０に記載のベネシャン・ブラインド。
【請求項５２】
昇降コード（２０’）が、前記支持コード（７１）に平行し、前記スラット（２）の長手方向の両端のところに設けられた支持部材（７２）にある通路（７５）を通過させられることを特徴とする、請求項５０又は５１に記載のベネシャン・ブラインド。
【請求項５３】
前記スラットが、長手方向の両端のところに、支持部材（７２）を通過させられた支持コード（７１）を案内するための前記支持部材（７２）を備えることを特徴とする、請求項１に記載のベネシャン・ブラインド用のスラット。
【請求項５４】
駆動シャフト（３３）と共に回転し、このシャフトを介して軸方向に移動するように取り付けられた管状部材（３６）と、昇降コード（２０）をその適切な軸方向の位置に維持し、前記管状部材（３６）の外側周面に導く案内手段（４６）を含み、それによって、前記管状部材（３６）が回転すると前記昇降コード（２０）が前記管状部材（３６）の周面に巻き上げ繰り出され、その結果、前記管状部材（３６）が回転するにつれて前記スラット（２）が上げ下げされることを特徴とする、昇降機構。
【請求項５５】
１対のチルト・コード（１９）を連結する傾動手段を含み、前記傾動手段が、駆動シャフト（３３）の周りにそれと共に回転するように同軸に設けられた円筒状のチルト・ケース（４１）を含み、前記チルト・ケース（４１）の外側周面の周りに設けられた傾動部材（４２）が、前記傾動部材（４２）上に設けられた第１の手段（４８、４９）によって決定された所定の角度範囲にわたって、前記回転が対応する固定当接手段（５０、５１）と接触している間に、前記傾動部材（４２）と前記チルト・ケース（４１）の間の摩擦により前記チルト・ケース（４１）の回転に追従し、それで、前記チルト・コード（１９）が、前記傾動部材（４２）の周りに巻き付けられ、その結果前記傾動部材（４２）の一方向の回転が前記のチルト・コード対の一方のチルト・コードを前記傾動部材（４２）から繰り出させ、前記のチルト・コード対のもう一方のチルト・コードを前記傾動部材（４２）上に巻き上げさせることを特徴とする、傾動機構。
【請求項５６】
少なくとも１対のチルト・コード（１９）を連結する傾動手段を含み、前記傾動手段が、駆動シャフト（３３）の周りにそれと共に回転するように同軸に設けられた傾動ドラム（６０）を含み、前記傾動ドラム（６０）の外側周面の周りに設けられた傾動部材（６１）が、前記傾動部材（６１）上に設けられた第１の当接手段（６３）によって決定された所定の角度範囲にわたって、前記回転が回転可能な当接リング（６４）上に設けられた当接舌片（６５）と接触している間に、前記傾動部材（６１）と前記傾動ドラム（６０）の間の摩擦により前記傾動ドラム（６０）の回転に追従し、したがって回転可能な当接リング（６４）の一部分が、固定当接手段（６８）と係合することによってさらに回転することが妨げられるまで、前記傾動ドラム（６０）がさらに回転し、その結果前記回転可能な当接リング（６４）が、前記傾動ドラム（６０）の周りに回転し、それで、前記チルト・コード（１９）が、前記傾動部材（６１）の周りに巻き付けられ、その結果前記傾動部材（６１）の一方向の回転が前記所与のチルト・コード対の一方のチルト・コードが前記傾動部材（６１）から繰り出され、前記所与のチルト・コード対のもう一方のチルト・コードが前記傾動部材（６１）上に巻き上げられることを特徴とする、傾動機構。
【手続補正２】
【補正対象書類名】明細書
【補正対象項目名】０００１
【補正方法】変更
【補正の内容】
【０００１】
本発明は、ベネシャン・ブラインドに関し、より詳細には、スラット、スラットの取付手段、ベネシャン・ブラインド、昇降機構および傾動機構に関する。
【手続補正３】
【補正対象書類名】明細書
【補正対象項目名】００４９
【補正方法】変更
【補正の内容】
【００４９】
シャフト３３と共に回転するように、且つシャフト３３の所定の長手方向の距離にわたって軸方向に移動するように寸法決めされた管状部材３６がシャフト３３の周りに設けられ、この移動が、図４及び図５の矢印Ｃによって示されている。管状部材３６がシャフト３３と共に回転し、それと同時にシャフト３３上を移動することは、この昇降及び傾動機構の実施例によれば、管状部材３６から径方向内側に延びる係合手段３７とシャフト３３に設けられた長手方向溝３８との係合によって達成される。管状部材３６は、図４及び図５に概略的にだけ示されている適切なベアリング４０によってハウジング３１に対して回転するように取り付けられている。
【国際調査報告】
2006522245.tif 000017
2006522245.tif 000018
2006522245.tif 000019